(57)【要約】  【課題】  電池などの電源を装備しなくても、装置電源がＯＦＦの状態でインクタンクが脱着されたか否かを判断することができ、簡単な構成で適正な回復動作を可能にして記録装置の信頼性を向上させることができるインクジェット記録装置およびインクタンクを提供する。  【解決手段】  脱着可能なインクタンク７を備えたインクジェット記録装置において、インクタンクが一度以上脱着されたときに、脱着前後で電源を用いずに位置を変える動作部７０Ａ、７０Ｂまたは７０Ｃを備える。動作部は重力により位置を変える構成、もしくは磁気吸引力により位置を変える構成とする。動作部はインクタンク以外の場所に設けても良く、インクタンクに設けても良い。【選択図】  図４
2011121190.tif 000002
【特許請求の範囲】
【請求項１】
脱着可能なインクタンクを備えたインクジェット記録装置において、前記インクタンクが一度以上脱着されたときに、脱着前後で電源を用いずに位置を変える動作部を有することを特徴とするインクジェット記録装置。
【請求項２】
前記動作部は重力により位置を変えることを特徴とする請求項１に記載のインクジェット記録装置。
【請求項３】
前記動作部を記録装置のインクタンク以外の場所に配設することを特徴とする請求項１または２に記載のインクジェット記録装置。
【請求項４】
前記動作部を前記インクタンクに設けることを特徴とする請求項１または２に記載のインクジェット記録装置。
【請求項５】
前記動作部は磁気吸引力により位置を変えることを特徴とする請求項１に記載のインクジェット記録装置。
【請求項６】
前記動作部の位置を検出する検出部を有することを特徴とする請求項１ないし５のいずれか１項に記載のインクジェット記録装置。
【請求項７】
前記動作部は前記検出部の検出結果に基づいて作動するモータにより前記インクタンクを脱着する前の位置に戻されることを特徴とする請求項６に記載のインクジェット記録装置。
【請求項８】
前記検出部の検出結果により回復動作を実施するかどうかの判断を行うことを特徴とする請求項６に記載のインクジェット記録装置。
【請求項９】
請求項１ないし８のいずれか１項に記載のインクジェット記録装置に脱着可能に装着されるインクタンクにおいて、前記インクジェット記録装置に対して一度以上脱着されたときに、脱着前後で電源を用いずに位置を変える動作部を有することを特徴とするインクタンク。
【発明の詳細な説明】
【技術分野】
【０００１】
本発明は、インクジェット記録装置および該インクジェット記録装置に装着されるインクタンクに関する。
【背景技術】
【０００２】
記録ヘッドから記録媒体へインクを吐出して画像を記録するインクジェット記録装置にあっては、記録ヘッド内部に微細な流路が形成されている。そのため、インクタンクから記録ヘッドまでの流路内における気泡の発生を防止したり発生した気泡を除去しないと、気泡によってインクの供給が妨げられることになり、インクの吐出不良により記録画像の品位が低下するおそれがある。特に、脱着式のインクタンクを用いる場合には、脱着の際に流路に気泡が発生もしくは混入するため、脱着後に流路から気泡を抜くための回復動作が必要になる。ここで、インクタンクの脱着とは、少なくとも一度装置からインクタンクを取り外し、同じまたは異なるインクタンクを装置に再装着すること意味する。
【０００３】
従来のインクジェット記録装置では、装置電源がＯＦＦの状態でユーザがインクタンクを取り外した後に再度装着した場合、次の装置電源がＯＮの状態ではインクタンクがすでに装着された状態になっている。そのため、インクタンクと装置本体を電気的に接続する構成であっても、インクタンクが脱着されたか否かを判断することができず、インクタンクの交換などに際して適切な回復動作の実施が困難となり、装置の信頼性を損なうおそれがある。このような不具合を回避する手段として、特許文献１には、装置本体に電池を搭載し、電源ＯＦＦのときもインクタンクの脱着を監視できるようにした技術が開示されている。
【先行技術文献】
【特許文献】
【０００４】
【特許文献１】特開平０７−１４４４１９号公報
【発明の概要】
【発明が解決しようとする課題】
【０００５】
しかしながら、産業用の記録装置などでは近年の技術向上により装置寿命も長く設定されており、そのため、上記従来技術では、時間の経過によって電池残量が無くなり、信頼性を維持することが困難であるという課題がある。
【０００６】
本発明はこのような技術的課題に鑑みてなされたものである。本発明の目的は、簡単な構成で、電池などの電源を装備しなくても、装置電源がＯＦＦの状態でインクタンクが脱着されたか否かを判断することができ、回復動作等の関連動作を適正に行うことで記録装置の信頼性を向上させることができるインクジェット記録装置およびインクタンクが提供することである。
【課題を解決するための手段】
【０００７】
本発明は、脱着可能なインクタンクを備えたインクジェット記録装置において、前記インクタンクが一度以上脱着されたときに、脱着前後で電源を用いずに位置を変える動作部を有することを特徴とする。かかる構成においては、前記動作部は重力もしくは磁気吸引力により位置を変えることができる。
【０００８】
別の本発明は、インクジェット記録装置に脱着可能に装着されるインクタンクにおいて、前記インクジェット記録装置に対して一度以上脱着されたときに、脱着前後で電源を用いずに位置を変える動作部を有することを特徴とする。かかる構成においては、前記動作部は重力もしくは磁気吸引力により位置を変えることができる。
【発明の効果】
【０００９】
本発明によれば、簡単な構成で、電池などの電源を装備しなくても、装置電源がＯＦＦの状態でインクタンクが脱着されたか否かを判断することができ、回復動作等の関連動作を適正に行うことで記録装置の信頼性を向上させることができるインクジェット記録装置およびインクタンクが提供される。
【図面の簡単な説明】
【００１０】
【図１】一実施形態に係るインクジェット記録装置の平面図
【図２】一実施形態に係るインクジェット記録装置の制御部のブロック図
【図３】インクタンクおよび記録ヘッドにおけるインク流路の説明図
【図４】インクタンクの脱着に伴って動作する動作部の第１の実施形態の説明図
【図５】インクタンクの脱着を監視する制御動作のフローチャート
【図６】インクタンクの脱着に伴って動作する動作部の第２の実施形態の説明図
【図７】インクタンクの脱着に伴って動作する動作部の第３の実施形態の説明図
【発明を実施するための形態】
【００１１】
以下、図面を参照して本発明の実施形態を具体的に説明する。なお、各図面を通して同一符号は同一または対応部分を示すものである。
〔第１の実施形態〕
図１は一実施形態に係るインクジェット記録装置の平面図である。ユーザによって装置に記録媒体１がセットされると、センサ２が記録媒体１の存在を検知し、記録ヘッド５およびインクタンク７を搭載したキャリッジ４がキャリッジモータ６によって駆動されることで記録ヘッド５が記録位置（印刷位置）８へ移動する。なお、待機中には、記録ヘッド５はキャップ位置３にある。記録ヘッド５の記録媒体１と対向する面はインクを吐出する複数のノズルが配されたインク吐出面（ノズル面）５ａとなっており、記録ヘッド５がキャップ位置３にあるとき、インク吐出面５ａは下方から密着されるキャップによってキャッピング状態になっている。記録媒体１を矢印Ａ方向に搬送し、記録媒体１が記録ヘッド５のノズル面と対向する記録位置を通過するタイミングでノズルからインクを吐出して記録媒体１上に画像（文字や記号等の全ての印刷像を含む）を記録する。記録した記録媒体１を矢印Ｂ方向に排出することで一連の記録動作を終了する。記録を終了した後一定時間が経過すると、キャリッジ４は再びキャップ位置３に戻され、インク吐出面５ａにキャップを密着させてキャッピング状態にする。
【００１２】
装置本体には、ＣＰＵ、メモリおよびＩ／Ｏ回路等を備えたコントローラからなる制御部６０が設けられている。この制御部６０は、内部メモリに予め格納された制御プログラムに従い、駆動モータや各種装置の動作を制御する。これにより、記録媒体の搬送動作を制御するとともに、画像情報に基づいて記録ヘッド５による記録動作を制御することにより、記録媒体に画像を記録していく。また、制御部６０は、後述するインクタンクの脱着を検出した際の動作や回復動作を制御する。さらに、制御部６０は、その他の装置全体の動作およびタイミングを制御するものである。
【００１３】
図２は一実施形態に係るインクジェット記録装置の制御部６０のブロック図である。ＭＰＵ（マイクロプロセッサ）９は、プログラムＲＯＭ１０に格納された制御プログラムを実行することにより以下の制御を実現する。まず、通信制御ドライバ１３が外部ＰＣからの制御コマンドを受信すると、制御コマンドの各種パラメータをＮＶＲＡＭ１１に記憶し、制御コマンドのイメージデータをプリントバッファであるＶＲＡＭ１２に展開する。そして、ジョブ開始コマンドを受信すると記録動作を開始する。
【００１４】
記録動作に入ると、ＭＰＵ９がモータドライバ１４を制御することで、キャリッジモータ１７、搬送モータ１８および回復モータ１９が駆動される。また、ＭＰＵ９は、センサ２で検知した記録媒体１の先端位置を入出力ポート１６から入力し、その検知位置を基準としてヘッド駆動回路１５を制御することにより記録ヘッド５を駆動する。記録ヘッド５を駆動してインクを吐出することで、ＶＲＡＭ１２に展開しているイメージデータを記録媒体１に記録する。記録媒体１への記録が完了すると、キャリッジモータ１７および搬送モータ１８の駆動を停止する。さらに、ＭＰＵ９は、フォトセンサ２０でインクタンク７の脱着を検知すると、プログラムＲＯＭ１０のプログラムに基づいて後述するインクタンクの脱着に伴う動作、並びに回復モータ１９による回復動作を実行する。ここで、回復動作は、記録ヘッド５のインク吐出性能を維持回復するための動作であり、例えば、インク吐出面５ａのキャッピング動作、インク吐出面５ａのワイピング動作、ノズル２４やインク受けからのインク吸引動作などが含まれる。
【００１５】
図３はインクタンク７および記録ヘッド５におけるインク流路の説明図である。記録ヘッド５のインク吐出面（記録媒体と対向する面）５ａには、複数のノズル２４が所定の密度で配列されたノズル列が形成されている。インクタンク７内に装填された吸収体２１には、吸収体２１の毛管力により、大気圧に対して負圧の状態でインクが吸蔵されている。インクタンク７内のインクは、回復動作により記録ヘッド５のフィルタ２２および液室２３を通して各ノズル２４に充填される。各ノズル２４まで充填されたインクは、記録動作の際にノズルから吐出され、回復動作の際にもノズルから吸引もしくは吐出される。
【００１６】
図４はインクタンク７の脱着に伴って動作する第１の実施形態に係る動作部７０Ａの構成および動作の説明図である。なお、本実施形態では、図１および図３に示すようにインクタンク７は記録ヘッド５とともにキャリッジ４に搭載されているが、以下の説明はインクタンク７が記録装置のキャリッジ４以外の場所に脱着可能に装着される場合も同様に適用される。また、インクタンク７の脱着に伴って動作する動作部７０Ａは、キャリッジ４上を含んだインクタンク７以外の場所に配設される。図４（ａ）はインクタンク７が使用可能に装着されている状態を示し、図４（ｂ）はインクタンク７を取り外したときの状態を示し、図４（ｃ）はインクタンク７を装着するときの状態を示し、図４（ｄ）はインクタンク７を装着した直後の状態を示す。
【００１７】
図４において、インクタンク７以外の場所（図示の例ではキャリッジ４上）に、インクタンク７が一度以上脱着されたときに、脱着前後で電源を用いずに位置を変える動作部７０Ａが配設されている。動作部７０Ａは、駆動源である不図示のモータにより回転駆動可能な円盤状の回転体２６と、回転体２６の中心軸と同心の軸を中心に独立して自由に回動（揺動）可能に軸支されたアーム２５とを備えている。回転体２６の側面には突起状の突起部２７が設けられており、回転体２６が回転駆動されると突起部２７がアーム２５に当たるようになっている。また、インクタンク７以外の場所には、アーム２５が重力で回動して自由端が鉛直下向きになった状態を検知するためのフォトセンサ２０が配されている。このフォトセンサ２０は、動作部７０Ａ（そのアーム２５）の位置を検出するための検出部を構成している。こうして、装置内のインクタンク７以外の場所に配設されたアーム２５、回転体２６、突起部２７およびフォトセンサ２０により、インクタンク７の脱着に伴って、電源を用いずに位置を変えるように動作する動作部７０Ａが構成されている。
【００１８】
図５は、インクタンク７の脱着を監視する制御動作のフローチャートである。次に、第１の実施形態に係る動作部７０Ａを用いてインクタンク７の脱着を監視する動作を説明する。インクタンク７が装着されているときは、図４（ａ）に示すように、アーム２５の先端部がインクタンク７の側面に係止することでアーム２５は持ち上げ位置に停止している。インクタンク７が装置から取り外されると（ステップＳ１）、アーム２５が重力により回動し、アーム２５の自由端が鉛直下向きになったところで停止する（図４（ｂ））。そして、同一もしくは別のインクタンク７を再び装着する（図４（ｃ））。このとき、インクタンク７はアーム２５に接触することがないので、アーム２５はそのまま鉛直下向きの位置に保持される。つまり、動作部７０Ａのアーム２５は、インクタンク７の脱着前後で電源を用いずに位置を変えるように動作する（ステップＳ２）。
【００１９】
次いで、装置電源がＯＦＦであるか（ステップＳ３）、あるいは装置電源がＯＮであるか（ステップＳ４）を判別する。装置電源がＯＦＦの状態であればＯＮになった時点で、あるいは装置電源がＯＮの状態でインクタンク７が脱着された場合は直ちに、フォトセンサ２０からなる検出部によりアーム２５の位置（動作部の位置）を検出する（ステップＳ５）。これにより、インクタンク７が一度以上脱着されて装着状態になっていることを検知する。検出部２０による検出結果により回復動作を実施するかどうかの判断を行う。回復動作を行う場合は、ＭＰＵ９は、フォトセンサ２０でインクタンク７の脱着を検知すると、プログラムＲＯＭ１０のプログラムに基づいて後述するインクタンクの脱着に伴う動作、並びに回復モータ１９による回復動作を実行する。制御部６０は、記録ヘッド５のノズル２４内のインクをリフレッシュしたり、インク吐出面５ａをワイピングするなどの回復動作を制御する（ステップＳ６）。回復動作を終了したところで、モータ（例えば、図２中の回復モータ１９）により回転体２６を回転させることで、突起部２７を介してアーム２５を図４（ｄ）中の矢印方向に回動させることにより、アーム２５の回動位置を図４（ａ）に示す元の位置に戻す（ステップＳ７）。つまり、動作部７０Ａは、検出部２０の検出結果に基づいて作動するモータにより、インクタンク７を脱着する前の位置に戻される。
【００２０】
以上の第１の実施形態に係るインクジェット記録装置およびインクタンクによれば、インクタンク７が一度以上脱着されたときに、脱着前後で電源を用いずに位置を変えるように動作する動作部７０Ａを備えた構成が得られる。そのため、電池などの電源を装備しなくても、装置電源がＯＦＦの状態でインクタンク７が脱着（一度以上装置からインクタンクを取り外し、同じまたは異なるインクタンクを装置に再装着すること）されたか否かを判断することが可能となる。これにより、電池等の二次電源の寿命によりインクタンクの脱着の有無を判断できなくなるという従来の課題を解消できる。従って、本実施形態によれば、簡単な構成で、電池などの電源を装備しなくても、装置電源がＯＦＦの状態でインクタンクが脱着されたか否かを判断することができ、回復動作等の関連動作を適正に行うことで記録装置の信頼性を向上させることができる。
【００２１】
〔第２の実施形態〕
図６はインクタンク７の脱着に伴って動作する第２の実施形態に係る動作部７０Ｂの構成および動作の説明図である。本実施形態についての以下の説明もインクタンク７が記録装置のキャリッジ４以外の場所に脱着可能に装着される場合に同様に適用可能である。また、インクタンク７の脱着に伴って動作する動作部７０Ｂは、キャリッジ４上を含んだインクタンク７以外の位置に配設される。図６（ａ）はインクタンク７が使用可能に装着されている状態を示し、図６（ｂ）はインクタンク７を取り外したときの状態を示し、図６（ｃ）はインクタンク７を装着するときの状態を示し、図７（ｄ）はインクタンク７を装着した直後の状態を示す。
【００２２】
図６において、インクタンク７以外の場所（図示の例ではキャリッジ４上）に、インクタンク７が一度以上脱着されたときに、脱着前後で電源を用いずに位置を変える動作部７０Ｂが配設されている。動作部７０Ｂは、駆動源である不図示のモータにより回転駆動可能な円盤状の回転体２６と、回転体２６の中心軸と同心の軸を中心に独立して自由に回動（揺動）可能に軸支された金属等の磁性体のアーム３５とを備えている。回転体２６の側面には突起部２７が設けられており、回転体２６が回転駆動されると突起部２７がアーム３５に当たるようになっている。また、インクタンク７以外の場所に、アーム３５を磁力（磁気吸引力）で吸引するためのマグネット３８と、アーム３５が吸引されてその先端部が所定位置になったことを検知するためのフォトセンサ２０が配されている。こうして、装置内のインクタンク７以外の場所に配設されたアーム３５、回転体２６、突起部２７およびフォトセンサ２０により、インクタンク７の脱着前後で電源を用いずに位置を変える動作部７０Ｂが構成されている。本実施形態の他の構成は、前述の第１の実施形態と同様である。
【００２３】
次に、図６および図５を用いて、第２の実施形態に係る作動部７０Ｂを使用してインクタンク７の脱着を監視する動作を説明する。インクタンク７が装着されているときは、図６（ａ）に示すように、マグネット３８の磁力（磁気吸引力）により上向きに付勢されたアーム３５の先端部がインクタンク７の底面に係止することで、アーム３５は所定位置に位置規制されている。インクタンク７が装置から取り外されると（ステップＳ１）、アーム３５がマグネット３８に磁力で吸引されて回動し、アーム３５の自由端がマグネット３８に最接近した位置（フォトセンサ２０に対向する位置でもある）で停止する（図６（ｂ））。そして、同一もしくは別のインクタンク７を再び装着する（図６（ｃ））。このとき、インクタンク７はアーム３５に接触することがないので、アーム３５はそのままセンサ２０と対向する位置に保持される。つまり、動作部７０Ｂのアーム３５も、インクタンク７の脱着前後で電源を用いずに位置を変えるように動作する（ステップＳ２）。
【００２４】
次いで、装置電源がＯＦＦであるか（ステップＳ３）、あるいは装置電源がＯＮであるか（ステップＳ４）を判別する。装置電源がＯＦＦの状態であればＯＮになった時点で、あるいは装置電源がＯＮの状態でインクタンク７が脱着された場合は直ちに、フォトセンサ２０によりアーム３５の位置（マグネット３８に最接近してフォトセンサ２０に対向した位置）を検知する（ステップＳ５）。これにより、インクタンク７が少なくとも１回脱着されて装着状態になっていることを検知する。フォトセンサ（検出部）２０の検出結果により回復動作を実施するかどうかの判断を行う。回復動作を行う場合、ＭＰＵ９は、フォトセンサ２０でインクタンク７の着脱を検知すると、プログラムＲＯＭ１０のプログラムに従い、回復モータ１９を駆動して回復動作を実行する。制御部６０は、記録ヘッド５のノズル内のインクをリフレッシュしたり、インク吐出面５ａをワイピングするなどの回復動作を制御する（ステップＳ６）。回復動作を終了したところで、モータ（例えば、図２中の回復モータ１９）により回転体２６を回転させることで、突起部２７を介してアーム３５を図６（ｄ）中の矢印方向に回動させることにより、アーム３５の回動位置を図６（ａ）に示す元の位置（インクタンク７の底面で位置規制される状態）に戻す（ステップＳ７）。つまり、動作部７０Ｂは、検出部２０の検出結果に基づいて作動するモータにより、インクタンク７を脱着する前の位置に戻される。
【００２５】
以上の第２の実施形態に係るインクジェット記録装置およびインクタンクでも、インクタンク７が一度以上脱着されたときに、脱着前後で電源を用いずに位置を変えるように動作する動作部７０Ｂを備える構成が得られる。そのため、電池などの電源を装備しなくても、装置電源がＯＦＦの状態でインクタンク７が脱着（一度以上装置からインクタンクを取り外し、同じまたは異なるインクタンクを装置に再装着すること）されたか否かを判断することが可能となる。これにより、電池等の二次電源の寿命によりインクタンクの脱着の有無を判断できなくなるという従来の課題を解消できる。こうして、本実施形態によっても、簡単な構成で、電池などの電源を装備しなくても、装置電源がＯＦＦの状態でインクタンクが脱着されたか否かを判断することができ、回復動作等の関連動作を適正に行うことで記録装置の信頼性を向上させることができる。
【００２６】
〔第３の実施形態〕
図７はインクタンク７の脱着に伴って動作する第３の実施形態に係る動作部７０Ｃの構成および動作の説明図である。本実施形態についての以下の説明もインクタンク７が記録装置のキャリッジ４以外の場所に脱着可能に装着される場合に同様に適用可能である。本実施形態では、インクタンク７の脱着に伴って動作する動作部７０Ｃは、インクタンク７に配設されている。図７（ａ）はインクタンク７が使用可能に装着されている状態を示し、図７（ｂ）はインクタンク７を取り外したときの状態を示し、図７（ｃ）はインクタンク７を装着するときの状態を示し、図７（ｄ）はインクタンク７を装着した直後の状態を示す。
【００２７】
図７において、インクタンク７の底部近傍に、インクタンク７が一度以上脱着されたときに、脱着前後で電源を用いずに位置を変える動作部７０Ｃが配設されている。インクタンク７に配された動作部７０Ｃは、駆動源である不図示のモータにより回転駆動可能な円盤状の回転体４６と、回転体４６の中心軸と同心の軸を中心に独立して自由に回動（揺動）可能に軸支されたアーム２５とを備えている。回転体４６の側面には突起状の突起部２７が設けられており、回転体４６が回転駆動されると突起部２７がアーム２５に当たるようになっている。回転体４６の外周には歯形（ギア）４６が形成されている。
【００２８】
インクタンク７以外の場所には、不図示の駆動源（例えば回復モータ１９）により回転駆動可能なギア４９が設けられており、このギア４９は回転体４６の外周ギア４６と噛み合っている。また、インクタンク以外の位置（図示の例ではインクタンク７の底面近傍のキャリッジ４上の位置）に、アーム２５が重力で回動してその自由端が鉛直下向きになったときに、このアーム２５の位置を検知するためのフォトセンサ２０が配置されている。さらに、インクタンク７以外の位置に支柱４０が設けられている。支柱４０は、インクタンク７が装着された状態においてアーム２５の先端部に当接してアーム２５を所定の持ち上げ位置に保持するものである。本実施形態では、インクタンク７が一度以上脱着されたときに脱着前後で電源を用いずに位置を変える動作部７０Ｃを構成する回転体４６、外周ギア部４６ａ、突起部２７およびアーム２５は、インクタンク７に設けられている。また、動作部７０Ｃの動作に関わるフォトセンサ２０、支柱４０および駆動ギア４９はインクタンク７以外の装置内の場所に配置されている。本実施形態の他の構成は前述の第１の実施形態と同様である。
【００２９】
次に、図７および図５を用いて、第３の実施形態に係る作動部７０Ｃを使用してインクタンク７の脱着を監視する動作を説明する。インクタンク７が装着されているときは、図７（ａ）に示すように、アーム２５の先端部が支柱４０で支持されることで、アーム２５は所定角度だけ持ち上げられた規制位置に保持されている。インクタンク７が装置から取り外されると（ステップＳ１）、アーム２５はその先端部が重力により回動することで鉛直方向下向きの位置で停止する（図７（ｂ））。そして、同一もしくは別のインクタンク７を再び装着する（図７（ｃ））。このとき、インクタンク７はアーム２５に接触することがないので、アーム２５はそのまま鉛直方向下向きの位置に保持される。つまり、動作部７０Ｃのアーム２５も、インクタンク７の脱着前後で電源を用いずに位置を変えるように動作する（ステップＳ２）。
【００３０】
次いで、装置電源がＯＦＦであるか（ステップＳ３）、あるいは装置電源がＯＮであるか（ステップＳ４）を判別する。装置電源がＯＦＦの状態であればＯＮになった時点で、あるいは装置電源がＯＮの状態でインクタンク７が脱着された場合は直ちに、フォトセンサ２０によりアーム２５の位置を検知する（ステップＳ５）。これにより、インクタンク７が少なくとも１回脱着されて装着状態になっていることを検知する。フォトセンサ２０の検出結果により回復動作を実施するかどうかの判断を行う。回復動作を行う場合、ＭＰＵ９は、フォトセンサ２０でインクタンク７の脱着を検知すると、プログラムＲＯＭ１０のプログラムに基づいて後述するインクタンクの脱着に伴う動作、並びに回復モータ１９による回復動作を実行する。制御部６０は、記録ヘッド５のノズル２４内のインクをリフレッシュしたり、インク吐出面５ａをワイピングするなどの回復動作を制御する（ステップＳ６）。回復動作を終了したところで、モータ（例えば、図２中の回復モータ１９）によりギア４９を回転駆動することで回転体４６を回転させる。これにより、突起部２７を介してアーム２５を図７（ｄ）中の矢印方向に回動させることで、アーム２５の回動位置を図７（ａ）に示す支柱４０で支持される元の位置に戻す（ステップＳ７）。つまり、動作部７０Ｃは、検出部２０の検出結果に基づいて作動するモータにより、インクタンク７を脱着する前の位置に戻される。
【００３１】
以上の第３の実施形態に係るインクジェット記録装置およびインクタンクでも、インクタンク７が一度以上脱着されたときに、脱着前後で電源を用いずに位置を変えるように動作する動作部７０Ｃを備える構成が得られる。従って、本実施形態によっても、第１の実施形態および第２の実施形態と同様、簡単な構成で、電池などの電源を装備しなくても、装置電源がＯＦＦの状態でインクタンクが脱着されたか否かを判断することができ、回復動作等の関連動作を適正に行うことで記録装置の信頼性を向上させることができる。
【００３２】
なお、以上の各実施形態では、記録媒体の搬送による副走査のみで画像を記録するラインタイプの記録装置を説明したが、本発明は、記録ヘッドで主走査するシリアルタイプの記録装置においても同様に適用可能である。また、本発明は、記録媒体がロール紙等の連続紙である場合、一定寸法に裁断されたカット紙である場合など、記録媒体の種類に関係なく、同様に適用可能である。また、本発明は、インクジェット記録装置であれば、記録ヘッドの数、インクタンクの数、インクの種類や性状数などに関わらず、同様に適用可能である。さらに、本発明は、紙、プラスチックフィルム、印画紙、不織布など、記録媒体の材質にも関わりなく、同様に適用可能である。
【符号の説明】
【００３３】
１      記録媒体
４      キャリッジ
５      記録ヘッド
７      インクタンク
１９    駆動源（モータ）
２０    フォトセンサ
２５、３５    アーム
２６、４６    回転体
２７    突起部
４９    ギア
６０    制御部
７０Ａ、７０Ｂ、７０Ｃ    動作部
【図１】
2011121190.tif 000003
【図２】
2011121190.tif 000004
【図３】
2011121190.tif 000005
【図４】
2011121190.tif 000006
【図５】
2011121190.tif 000007
【図６】
2011121190.tif 000008
【図７】
2011121190.tif 000009